(57)【要約】【課題】  従来の電源電圧遮断方法によっては大規模な停波や、復旧に長時間を要する等の不都合が起こっていた。【解決手段】  蓋２と機器本体３との間に電源カット具４０を挟み、入力側端子６に入力した高周波信号及び電源電圧のうち電源電圧を電源カット具４０よりカットして蓋２の出力側端子７へ出力させず、高周波信号は蓋２の出力側端子７及び機器本体３の分岐端子３１に出力されるようにした電源電圧遮断方法。また、機器本体３と蓋２との間に取付けると、蓋２の入力側端子６に接続されて、入力側端子６に入力された電源電圧をカットして出力側端子７に出力されないようにする電源カット回路５０をケース６０内に備える電源カット具。前記電源カット具４０を、蓋２とタップオフ本体３との間に挟んで、螺子により又は挟着治具により蓋２と機器本体３とに脱着可能であることを特徴とする電源カット具の取付け構造。【選択図】図１
2005159554.tif 000002
【特許請求の範囲】
【請求項１】
蓋（２）と、それに脱着可能な機器本体（３）とから構成され、
蓋（２）は入力側同軸ケーブルを接続可能な入力側端子（６）と、出力側同軸ケーブルを接続可能な出力側端子（７）と、両端子（６、７）を短絡可能な短絡材（１０）を備え、
機器本体（３）は入力側端子（６）に入力された高周波信号が通る高周波系路（３３）と、入力側端子（６）に入力された電源電圧が通る電源電圧系路（３４）と、高周波信号を分岐する分岐端子（３１）とを備え、
前記蓋（２）に機器本体（３）が取付けられると、前記短絡材（１０）が機器本体（３）により押されて蓋（２）の入力側端子（６）と出力側端子（７）の双方またはいずれか一方から離れ、機器本体（３）の高周波系路（３３）と電源電圧系路（３４）が入力側端子（６）と出力側端子（７）の双方に接触して、入力側端子（６）に入力された高周波信号は高周波系路（３３）を通して、入力側端子（６）に入力された電源電圧は電源電圧系路（３４）を通して夫々出力側端子（７）に出力されると共に高周波信号は分岐端子（３１）に分岐され、
前記蓋（２）から機器本体（３）を取り外すと、機器本体（３）による短絡材（１０）の前記押しが解除されて、短絡材（１０）が蓋（２）の入力側端子（６）と出力側端子（７）の双方に接触して、入力側端子（６）に入力された高周波信号及び電源電圧が短絡材（１０）を通して出力側端子（７）に出力されるようにしたＣＡＴＶ用機器において、
蓋（２）と機器本体（３）との間に電源カット具（４０）を挟んで、入力側端子（６）に入力された高周波信号及び電源電圧のうち電源電圧は電源カット具（４０）よりカットされて蓋（２）の出力側端子（７）へ出力されず、高周波信号は蓋（２）の出力側端子（７）及び機器本体（３）の分岐端子（３１）に出力されるようにしたことを特徴とするＣＡＴＶ用機器による電源電圧遮断方法。
【請求項２】
蓋（２）と、それに脱着可能な機器本体（３）とから構成され、
蓋（２）は入力側同軸ケーブルを接続可能な入力側端子（６）と、出力側同軸ケーブルを接続可能な出力側端子（７）と、両端子（６、７）を短絡可能な短絡材（１０）を備え、
機器本体（３）は入力側端子（６）に入力された高周波信号が通る高周波系路（３３）と、入力側端子（６）に入力された電源電圧が通る電源電圧系路（３４）と、高周波信号を分岐する分岐端子（３１）とを備え、
前記蓋（２）に機器本体（３）が取付けられると、前記短絡材（１０）が機器本体（３）により押されて蓋（２）の入力側端子（６）と出力側端子（７）の双方またはいずれか一方から離れ、機器本体（３）の高周波系路（３３）と電源電圧系路（３４）が入力側端子（６）と出力側端子（７）の双方に接触して、入力側端子（６）に入力された高周波信号は高周波系路（３３）を通して、入力側端子（６）に入力された電源電圧は電源電圧系路（３４）を通して夫々出力側端子（７）に出力されると共に高周波信号は分岐端子（３１）に分岐され、
前記蓋（２）から機器本体（３）を取り外すと、機器本体（３）による短絡材（１０）の前記押しが解除されて、短絡材（１０）が蓋（２）の入力側端子（６）と出力側端子（７）の双方に接触して、入力側端子（６）に入力された高周波信号及び電源電圧が短絡材（１０）を通して出力側端子（７）に出力されるようにしたＣＡＴＶ用機器の、前記機器本体（３）と蓋（２）との間に取り付ける電源カット具（４０）であり、
電源カット具（４０）は機器本体（３）と蓋（２）との間に取り付けると、蓋（２）の入力側端子（６）に接続されて、入力側端子（６）に入力された電源電圧をカットして出力側端子（７）に出力されないようにする電源カット回路（５０）と、
蓋（２）の入力側端子（６）と電気的に接続される入力側電極（４４ａ）と、蓋（２）の出力側端子（７）と電気的に接続される出力側電極（４４ｂ）と、
機器本体（３）の高周波系路（３３）と電源電圧系路（３４）の入力側と出力側の夫々が接続される入力側接続部（４５ａ）、出力側接続部（４５ｂ）と、
蓋（２）の短絡材（１０）を押して短絡材（１０）を蓋（２）の入力側端子（６）と出力側端子（７）の双方又は一方から分離させる短絡材押し部（４１）を備え、
電源カット回路（５０）は入力側電極（４４ａ）と入力側接続部（４５ａ）との間、出力側電極（４４ｂ）と出力側接続部（４５ｂ）との間の双方又は何れか一方に設けられ、
電源カット回路（５０）と、入力側電極（４４ａ）と、出力側電極（４４ｂ）と、入力側接続部（４５ａ）と、出力側接続部（４５ｂ）と、短絡材押し部（４１）とが一つのケース（６０）にまとめられている、
ことを特徴とする電源カット具。
【請求項３】
請求項２記載の電源カット具（４０）が、蓋（２）と機器本体（３）との間に挟まれて、螺子により又は挟着治具により蓋（２）と機器本体（３）とに脱着可能であることを特徴とする電源カット具の取付け構造。
【発明の詳細な説明】
【技術分野】
【０００１】
本発明は、タップオフ、分岐・分配器等のＣＡＴＶ用機器がカスケード接続されたＣＡＴＶ伝送路において、タップオフ等のＣＡＴＶ用機器により電源電圧を遮断して下流に流れないようにする電源電圧遮断方法と、その方法の実施に使用する電源カット具と、電源カット具の取付け構造に関するものである。
【背景技術】
【０００２】
ＣＡＴＶ伝送路には映像信号、音声信号等の高周波信号が伝送される。この場合、通常は、ＣＡＴＶ伝送路に接続されているＣＡＴＶ機器に電源を供給するために、図９に示すように、電源供給器（Power Supply：ＰＳ）からの電圧（電源）（通常は数１０Ｖ）を電源付加器（Power InjectorまたはPower Inserter：ＰＩ）を通してＣＡＴＶ伝送路に供給している。供給された電源電圧は電源付加器（ＰＩ）の下流側と上流側の双方に供給される。
【０００３】
図９のＣＡＴＶ用機器は同軸ケーブルＣａによって接続されているため、例えば、タップオフＡ１とタップオフＡ２との間にタップオフＡ３を増設する場合、切断箇所Ｂで同軸ケーブルＣａを切断すると、同軸ケーブルＣａの中心導体と外部導体とがショートして、電源供給器（ＰＳ）が遮断されて停波する。それを防止するために、従来は、ケーブル切断前に予め、電源供給器（ＰＳ）からの電源供給を遮断したり、電源付加器（ＰＩ）内のチョークコイルやジャンパー線等を取り外して、切断箇所Ｂへ電源供給を遮断し、その後に、同軸ケーブルＣａを切断している。
【発明の開示】
【発明が解決しようとする課題】
【０００４】
従来の電源供給器（ＰＳ）からの電源供給を遮断する方法では、タップオフＡ３の増設とは関係のない上流側への給電も断たれてしまい、ＣＡＴＶシステムが大規模な停波となる。しかも、電源供給器（ＰＳ）が増設箇所から遠い場所にある場合は、電源供給器（ＰＳ）と増設箇所間の往復に時間がかかり、作業に時間がかかる。また、電源付加器（ＰＩ）内のチョークコイルやジャンパー線等を取り外して電源供給を停止する方法では、その後の修復が困難な場合があり、メーカー修理を要する等、作業に時間がかかる。
【課題を解決するための手段】
【０００５】
本発明は上流側への電源供給は停止せず、下流側への電源供給だけを停止し、しかも、下流側への電源供給を最小限にして、大規模な停波を回避することができるようにすることにある。
【０００６】
本件出願の請求項１記載のＣＡＴＶ用機器による電源電圧遮断方法は、蓋２と、それに脱着可能な機器本体３とから構成され、蓋２は入力側同軸ケーブルを接続可能な入力側端子６と、出力側同軸ケーブルを接続可能な出力側端子７と、両端子６、７を短絡可能な短絡材１０を備え、
機器本体３は入力側端子６に入力された高周波信号が通る高周波系路３３と、入力側端子６に入力された電源電圧が通る電源電圧系路３４と、高周波信号を分岐する分岐端子３１とを備え、
前記蓋２に機器本体３が取付けられると、前記短絡材１０が機器本体３により押されて蓋２の入力側端子６と出力側端子７の双方またはいずれか一方から離れ、機器本体３の高周波系路３３と電源電圧系路３４が入力側端子６と出力側端子７の双方に接触して、入力側端子６に入力された高周波信号は高周波系路３３を通して、入力側端子６に入力された電源電圧は電源電圧系路３４を通して夫々出力側端子７に出力されると共に高周波信号は分岐端子３１に分岐され、
前記蓋２から機器本体３を取り外すと、機器本体３による短絡材１０の前記押しが解除されて、短絡材１０が蓋２の入力側端子６と出力側端子７の双方に接触して、入力側端子６に入力された高周波信号及び電源電圧が短絡材１０を通して出力側端子７に出力されるようにしたＣＡＴＶ用機器において、
蓋２と機器本体３との間に電源カット具４０を挟んで、入力側端子６に入力された高周波信号及び電源電圧のうち電源電圧は電源カット具４０よりカットされて蓋２の出力側端子７へ出力されず、高周波信号は蓋２の出力側端子７及び機器本体３の分岐端子３１に出力されるようにしたものである。
【０００７】
本件出願の請求項２記載の電源カット具は、蓋２と、それに脱着可能な機器本体３とから構成され、蓋２は入力側同軸ケーブルを接続可能な入力側端子６と、出力側同軸ケーブルを接続可能な出力側端子７と、両端子６、７を短絡可能な短絡材１０を備え、
機器本体３は入力側端子６に入力された高周波信号が通る高周波系路３３と、入力側端子６に入力された電源電圧が通る電源電圧系路３４と、高周波信号を分岐する分岐端子３１とを備え、
前記蓋２に機器本体３が取付けられると、前記短絡材１０が機器本体３により押されて蓋２の入力側端子６と出力側端子７の双方またはいずれか一方から離れ、機器本体３の高周波系路３３と電源電圧系路３４が入力側端子６と出力側端子７の双方に接触して、入力側端子６に入力された高周波信号は高周波系路３３を通して、入力側端子６に入力された電源電圧は電源電圧系路３４を通して夫々出力側端子７に出力されると共に高周波信号は分岐端子３１に分岐され、
前記蓋２から機器本体３を取り外すと、機器本体３による短絡材１０の前記押しが解除されて、短絡材１０が蓋２の入力側端子６と出力側端子７の双方に接触して、入力側端子６に入力された高周波信号及び電源電圧が短絡材１０を通して出力側端子７に出力されるようにしたＣＡＴＶ用機器の、前記機器本体３と蓋２との間に取付ける電源カット具４０であり、
電源カット具４０は機器本体３と蓋２との間に取付けると、蓋２の入力側端子６に接続されて、入力側端子６に入力された電源電圧をカットして出力側端子７に出力されないようにする電源カット回路５０と、
蓋２の入力側端子６と電気的に接続される入力側連結端子４４ａと、蓋２の出力側端子７と電気的に接続される出力側連結端子４４ｂと、
機器本体３の高周波系路３３と電源電圧系路３４の入力側と出力側の夫々が接続される入力側接続部４５ａ、出力側接続部４５ｂと、
蓋２の短絡材１０を押して短絡材１０を蓋２の入力側端子６と出力側端子７の双方又は一方から分離させる短絡材押し部４１を備え、
電源カット回路５０は入力側ターミナル端子４４ａと入力側接続部４５ａとの間、出力側ターミナル端子４４ｂと出力側接続部４５ｂとの間の双方又は何れか一方に設けられ、
電源カット回路５０と、入力側ターミナル端子４４ａと、出力側ターミナル端子４４ｂと、入力側接続部４５ａと、出力側接続部４５ｂと、短絡材押し部４１とが一つのケース６０にまとめられているものである。
【０００８】
本件出願の請求項３記載の電源カット具の取付け構造は、請求項２記載の電源カット具４０が蓋２と機器本体３との間に挟まれて、螺子により又は挟着治具により蓋２と機器本体３とに脱着可能なものである。
【発明の効果】
【０００９】
本件出願の請求項１記載のＣＡＴＶ用機器による電源電圧遮断方法には次のような効果がある。
（１）蓋と機器本体との間に電源カット具を入れて、入力側端子に入力された高周波信号及び電源電圧のうち電源電圧は電源カット具によりカットされて蓋の出力側端子へ出力されないようにしたので、蓋と機器本体との間に電源カット具を挟むだけで手軽に電源電圧を遮断して、蓋の出力側端子に出力されないようにすることができる。
（２）ＣＡＴＶ用機器の増設、保守などの工事を必要とする位置の直前のＣＡＴＶ用機器の蓋と機器本体との間に、電源カット具を取付ければ、停波するのは当該ＣＡＴＶ用機器以降のみとなるため、停波規模を小さくすることができる。
（３）高周波信号は蓋の出力側端子に出力されるようにしたので、電源カット具を取り付けたＣＡＴＶ用機器の分岐端子に接続された加入者は停波させず、停波規模が益々縮小する。
【００１０】
本件出願の請求項２記載の電源カット具には次のような効果がある。
（１）本発明の電源カット具は、蓋と機器本体との間に取付けると、蓋の入力側端子に接続されて、入力側端子に入力された電源電圧をカットして出力側端子に出力されないようにする電源カット回路と、蓋の入力側端子と接続される入力側ターミナル端子と、蓋の出力側端子と接続される出力側ターミナル端子の夫々と接続される入力側電極、出力側電極と、蓋の短絡材を押して短絡材を蓋の入力側端子と出力側端子の双方又は一方から分離させる短絡材押し具を備え、それらが一つのケースにまとめられているので、蓋と機器本体との間に取付けるだけで入力側端子に入力された電源電圧が出力側端子へ出力されるのを遮断することができる。
（２）電源カット回路と短絡材押し具とが一つのケースにまとめられているので、ＣＡＴＶ用機器への装着取り外しが容易である。
【００１１】
本件出願の請求項３記載の電源カット具の取付け装置には次のような効果がある。
（１）蓋と機器本体との間にセットして、螺子止め又は挟着治具により蓋と機器本体との間に挟着固定可能としたので、ＣＡＴＶ用機器への装着、離脱が容易になる。
【発明を実施するための最良の形態】
【００１２】
（実施形態１）
本発明のＣＡＴＶ用機器による電源電圧遮断方法と、電源カット具と、電源カット具の取付け構造の一例を、タップオフを例にして、図４、図５に基づいて詳細に説明するが、それに先立って、本発明のタップオフの基本構成を図1（ａ）（ｂ）〜図４に基づいて説明する。
【００１３】
図１（ａ）（ｂ）のタップオフは、蓋２とそれに脱着可能なタップオフ本体３とから構成されている、蓋２の外周縁部の数箇所には下方開口の螺子孔２ａが形成されており、その螺子孔２ａにタップオフ本体３の螺子孔３ａに差し込んである螺子４をねじ込むと、タップオフ本体３が蓋２に装着され、タップオフ本体３が蓋２に装着された状態で、螺子４を緩めるとタップオフ本体３が蓋２から外れるようにしてある。
【００１４】
前記蓋２は図１（ｂ）に示すように、下方開口の蓋ケース５に入力側ケーブルを脱着可能な入力側端子６と、出力側ケーブルを脱着可能な出力側端子７が形成され、蓋ケース５の内側で入力側端子６の内側に金属製の入力側ターミナル端子８が配置され、蓋ケース５の内側で出力側端子７の内側に金属製の出力側ターミナル端子９が配置され、蓋ケース５の天井面内側に金属製の細長帯状の短絡材１０が配置されている。入力側ターミナル端子８は入力側端子６に装着される入力側同軸ケーブルの中心導体が挿入されるとその中心導体と導通状態となり、出力側ターミナル端子９は出力側端子７に装着される出力側同軸ケーブルの中心導体が挿入されるとその中心導体と導通状態となるようにしてある。短絡材１０は軸方向両端部１０ａ、１０ｂが下向きに傾斜する板バネであり、タップオフ本体３を取付けない状態では一端が入力側ターミナル端子８に接触し、他端が出力側ターミナル端子９に接触して、入力側端子６に装着される入力側同軸ケーブルの中心導体−入力側ターミナル端子８−短絡材１０−出力側ターミナル端子９−出力側端子７−出力側同軸ケーブルの中心導体の導通が確保されるようにしてある。
【００１５】
前記した金属製の入力側ターミナル端子８及び出力側ターミナル端子９は、図３に示すように、蓋ケース５の内側に取付けられている樹脂製の保持具１１に内蔵されて、アルミニウムとか他の金属製の蓋ケース５に接触しないようにしてある。また、図２に示すように、金属製の短絡材１０は蓋ケース５の内側に取付けられている樹脂製の下方開口の細長カバー１２の内側に配置されてアルミニウムとか他の金属製の蓋ケース５に接触しないようにしてある。
【００１６】
短絡材１０の軸方向両端側下方には２本の押し具１３ａ、１３ｂが上下にスライド可能に配置されている。この押し具１３ａ、１３ｂは樹脂製のピン状であり、図３に示すように、蓋ケース５の内側に取付けられている樹脂製の支持具１４の差込孔１５に縦向きに差し込まれて上下にスライド可能としてあり、しかも、自重で降下しても支持具から抜け落ちないようにするため、短絡材１０側（上端側）の径を支持具１４の差込孔１５の径よりも大きくし、下端側の径をその差込孔１５に差込可能になるように細くしてある。
【００１７】
前記押し具１３は、蓋２にタップオフ本体３を取付けると、タップオフ本体３のプリント基板３２により押し上げられて上方にスライドし、短絡材１０の軸方向両端側を下方から押し上げて、その両端側を入力側ターミナル端子８及び出力側ターミナル端子９から押し離し、蓋２からタップオフ本体３を取り外すと短絡材１０の軸方向両端側の押し上げが解除されて、短絡材１０の軸方向両端側１０ａ、１０ｂがそのバネ力で下向きになって入力側ターミナル端子８及び出力側ターミナル端子９に接触するようにしてある。
【００１８】
前記タップオフ本体３は図１（ａ）に示すように、アルミとか他の金属製の本体ケース３０の底面に分岐端子３１が突設され、本体ケース３０の上面にプリント基板３２が取付けられている。プリント基板３２にはチョークコイルＬ、コンデンサ、抵抗等の電子部品が搭載され、それらが結線されて、図４に示すように、高周波信号が通る高周波系路、電源電圧が通る電源電圧系路といった、タップオフとして必要な各種回路や系路が形成されている。
【００１９】
タップオフの電気回路の基本構成は図４に示すように、入力側端子６と出力側端子７との間に分岐器３５が接続され、その分岐器３５に二分配器３７を介して分岐端子３１が接続されている。また、分岐器の上流側と入力側端子６との間にコンデンサＣ1を、分岐器の下流側と出力側端子７との間にコンデンサＣ2を接続して、電源電圧（低周波）をカットして高周波信号だけが通過できる高周波系路３３が形成され、入力側端子６と出力側端子７との間に並列にチョークコイルＬを入れて、高周波信号をカットして電源電圧だけが通過できる電源電圧系路３４が形成されている。
【００２０】
プリント基板３２には、図１（ａ）に示すように、金属製の電極３６ａ、３６ｂが２本突設されている。この電極３６ａ、３６ｂは、タップオフ本体３を蓋２に装着すると入力側ターミナル端子８、出力側ターミナル端子９に挿入されて、それらターミナル端子８、９を介して、入力側端子６に接続された入力側同軸ケーブル、出力側端子７に接続された出力側同軸ケーブルの中心導体と接触するようにしてある。この場合、入力側端子６に入力された高周波信号及び電源電圧のうち、高周波信号は図４の高周波系路３３を通って出力側端子７に出力されると共に分岐器３５で分岐されて分岐端子３１にも出力され、電源電圧は図４の電源電圧系路３４を通って出力側端子７に出力されるようにしてある。
【００２１】
また、図１（ａ）のようにタップオフ本体３を蓋２に装着すると、タップオフ本体３のプリント基板３２によって蓋２の押し具１３ａ、１３ｂが押し上げられ、その押し具１３ａ、１３ｂにより短絡材１０の軸方向両端部１０ａ、１０ｂが押し上げられて、当該両端部１０ａ、１０ｂが入力側ターミナル端子８、出力側ターミナル端子９から離される。この場合、短絡材１０は入力側端子６、出力側端子７から電気的に切り離される。
【００２２】
タップオフ本体３を蓋２から取り外すとプリント基板３２に上方に突出するように取付けられている電極３６ａ、３６ｂが入力側ターミナル端子８、出力側ターミナル端子９から抜去されて、タップオフ本体３の高周波系路３３も、電源電圧系路３４も入力側端子６、出力側端子７から電気的にも切り離される。この場合、入力側端子６に入力された高周波信号も電源電圧も分岐端子３１に出力されなくなる。
【００２３】
また、タップオフ本体３を蓋２から取り外すと、タップオフ本体３のプリント基板３２による蓋２の押し具１３ａ、１３ｂの押し上げが解除され、押し具１３ａ、１３ｂによる短絡材１０の軸方向両端部１０ａ、１０ｂの押し上げが解放されて、当該両端部１０ａ、１０ｂがその復元力で下向きになって入力側ターミナル端子８、出力側ターミナル端子９に接触する。これにより、短絡材１０が入力側ターミナル端子８を介して入力側端子６に、出力側ターミナル端子９を介して出力側端子７に電気的に接続されるため、入力側端子６に入力された高周波信号も電源電圧も短絡材１０を通って出力側端子７に出力される。
【００２４】
本発明では図５（ａ）（ｂ）のように、前記した蓋２とタップオフ本体３との間に、電源カット具４０を配置することにより、入力側端子６に入力された電源電圧を遮断して出力側端子７に出力されないようにする。
【００２５】
前記電源カット具４０には図５（ａ）（ｂ）に示すように電源カット回路５０が配置されている。電源カット回路５０にはコンデンサＣを使用し、コンデンサＣをアルミ製のケース６０に収容してある。ケース６０は中央部分を周囲より上方に突出させて短絡材押し部４１が成形され、その反対の裏面側に収容凹陥部４２が形成され、その収容凹陥部４２内にタップオフ本体３のプリント基板３２及びはそれに搭載された電気部品等を収容可能としてある。ケース６０の短絡材押し部４１はタップオフ本体３を蓋２に取付けたときに蓋２の短絡材１０を押して短絡材１０を蓋２の入力側端子６と出力側端子７の双方又は一方から分離させることができるように上方へ突出している。ケース６０の周縁部には螺子孔４３が上下に貫通されている。螺子孔４３は前記蓋２の螺子孔２ａ及びタップオフ本体３の螺子孔３ａに適合する位置に貫通されており、図５（ａ）（ｂ）に示すように、それら螺子孔４３に螺子４を貫通させ、螺子４を蓋２の螺子孔２ａに螺子止めすることにより、電源カット具４０を蓋２とタップオフ本体３との間に挟着固定することができ、その螺子を緩めて螺子を取り外すことにより、電源カット具４０を蓋２とタップオフ本体３との間から取り外すことができるようにしてある。
【００２６】
ケース６０の上面には蓋２の入力側ターミナル端子８に挿入されて入力側端子６と電気的に接続される入力側電極４４ａと、蓋２の出力側ターミナル端子９に挿入されて出力側端子７と電気的に接続される出力側電極４４ｂが突設されている。ケース６０の裏面には金属製の接続端子４５ａ、４５ｂが、入力側と出力側とに突設されている。接続端子４５ａ、４５ｂは電源カット具４０を蓋２とタップオフ本体３との間に挟んで取付けると、タップオフ本体３の電極３６ａ、３６ｂが夫々挿入されて、電源カット回路５０のコンデンサＣが電極３６ａ、３６ｂと入力側ターミナル端子８、出力側ターミナル端子９の間に挿入されるようにしてある。この場合、入力側端子６に入力された高周波信号及び電源電圧のうち高周波信号はコンデンサＣを通過し、図４の高周波系路３３を通って出力側端子７に出力されるとともに分岐器３５で分岐されて分岐端子３１にも出力され、電源電圧はコンデンサＣによって遮断されて出力側端子７に出力されなくなる。図５（ａ）（ｂ）では、コンデンサＣはケース６０の内部に備えられているが、コンデンサＣの設置場所は、電極３６ａ、３６ｂと入力側ターミナル端子８、出力側ターミナル端子９の間に挿入されれば、ケース６０の上面（表面）、下面（裏面）といったいずれの箇所に取付けても良い。
【００２７】
前記の電源カット回路５０、入力側電極４４ａ、出力側電極４４ｂ、接続端子４５ａ、４５ｂは一つのケース６０にまとめて装備されている。
【００２８】
（使用例１）
本発明の電源カット具４０を蓋２とタップオフ本体３との間に挟着固定するには次のようにする。
１．図１（ａ）に示すように、タップオフ本体３と蓋２とを連結している螺子４を外して両者を分離する。この場合、押し具１３ａ、１３ｂによる短絡材１０の軸方向両端側１０ａ、１０ｂの押し上げが解除され、その軸方向両端側１０ａ、１０ｂが下向きになって入力側ターミナル８及び出力側ターミナル９に接触するため、入力側端子６に入力された高周波信号も電源電圧も短絡材１０を通って出力側端子７に出力される。
２．図５（ｂ）に示すように、本発明の電源カット具４０を、蓋２とタップオフ本体３との間に備え、入力側電極４４ａを入力側ターミナル８に、出力側電極４４ｂを出力側ターミナル９に夫々挿入し、また、接続端子４５ａ、４５ｂには、タップオフ本体３の電極３６ａ、３６ｂを夫々挿入する。これによって、入力側端子６及び出力側端子７と前記高周波系路３３及び電源電圧系路３４とが、電源カット回路５０を介して電気的に接続される。
３．電源カット具４０に備えられた螺子孔４３を貫通させて蓋２とタップオフ本体３とを螺子止めして、電源カット具４０を蓋２とタップオフ本体３との間に挟着固定する。
４．電源カット具４０を取付けたことによって、図５（ａ）に示すように、短絡材押し部４１が蓋２内の押し具１３ａ、１３ｂの下端部を押し上げて、蓋２の短絡材１０の軸方向両端部１０ａ、１０ｂを入力側ターミナル端子８、出力側ターミナル端子９から分離させて、入力側端子６から出力側端子７に、短絡材１０を通って高周波信号及び電源電圧を出力できないようにする。
５．従って、図４に示すように、入力側端子６に入力された高周波信号及び電源電圧のうち、高周波信号は電源カット回路５０のコンデンサＣを通過し、図４の高周波系路３３を通って出力側端子７に出力されるとともに分岐器３５で分岐されて分岐端子３１にも出力され、電源電圧はコンデンサＣによって遮断され、出力側端子７及びタップオフ本体３の分岐端子３１には出力されない。
【００２９】
（実施形態２）
本発明のＣＡＴＶ用機器による電源電圧遮断方法と、電源カット具と、電源カット具の取付け構造の他の一例を、前記実施形態１と同様に、タップオフを例にして、図６、図７に基づいて詳細に説明する。
図５（ａ）（ｂ）の電源カット具４０は前記実施形態１のように、蓋２とタップオフ本体３との間にセットして、螺子孔４３を貫通させて螺子止めによって挟着固定することができるが、図６に示すように、挟着治具を用いて蓋２とタップオフ本体３との間に挟着固定することもできる。挟着治具の一例として、図６に示すものは、タップオフ本体３の底面にあてがう支持部５１と、蓋２の上面を押さえる回転レバー５２とを備えており、回転レバー５２は支持部５１から立設した２本の丸棒状の回転軸５３の上端部に矢印ａ−ａ´方向に回動可能に取付けられている。
【００３０】
（使用例２）
前記挟着治具５４を使用し電源カット具４０を蓋２とタップオフ本体３との間に挟着固定する場合、前記実施形態１の電源カット具４０とほぼ同様の手順によって固定するが、本実施形態の電源カット具４０の場合には次のようにする。図７（ａ）〜（ｃ）に示すように、蓋２とタップオフ本体３との間に電源カット具４０を備え、タップオフ本体３の底面に、挟着治具５４の支持部５１の上面をあてがい、回転レバー５２を蓋２の上に回転させると、重ねてセットされている蓋２と電源カット具４０とタップオフ本体３とが支持部５１と回転レバー５２との間に挟着固定される。回転レバー５２を逆回転させて蓋２の上から外すと、挟着固定が解除され、電源カット具４０を蓋２とタップオフ本体３の間から取り外すことができる。
【００３１】
（実施形態３）
本発明のＣＡＴＶ用機器による電源電圧遮断方法と、電源カット具と、電源カット具の取付け構造のその他の一例を、前記各実施形態と同様に、タップオフを例にして、図８（ａ）（ｂ）に基づいて詳細に説明する。
本実施形態においては、電源カット具４０は、図８（ａ）に示すように、ケース６０を上段ケース６１と下段ケース６２との二段にし、上段ケース６１と下段ケース６２とをずらして重ね合わせた形状（以下「オフセット形状」という。）に一体形成してある。本実施形態の電源カット具４０は、蓋２と、タップオフ本体３とを、電源カット具４０部分において縦方向にずらして固定するものである。ケース６０内には、前記各実施形態と同様に電源カット回路５０が装備されている。
【００３２】
図８（ａ）に示すように、前記上段ケース６１は、その上面中央部分が周囲より上方に突出して短絡材押し部４１とされている。上段ケース６１の上面には蓋２の入力側ターミナル端子８に挿入されて入力側端子６と電気的に接続される入力側電極４４ａと、蓋２の出力側ターミナル端子９に挿入されて出力側端子７と電気的に接続される出力側電極４４ｂが突設されている。また、上段ケース６１の周縁部には、螺子６３が上方に向けて備えられている。螺子６３は、前記蓋２の螺子孔２ａに適合する位置に備えられ、螺子６３を蓋２の螺子孔２ａに螺子止めすることにより、蓋２に電源カット具４０の上段ケース６１を取付けることができる。
【００３３】
また、前記下段ケース６２は、裏面側に収容凹陥部４２（図示しない）が形成され、その収容凹陥部４２内にタップオフ本体３のプリント基板３２及びそれに搭載された電気部品等を収容可能としてある。下段ケース６２の裏面には、タップオフ本体３の電極３６ａ、３６ｂが夫々挿入される金属製の接続端子４５ａ、４５ｂ（図示しない）が、入力側と出力側とに突設されている。また、下段ケース６２の周縁部には、下方開口の螺子孔４３（図示しない）が開口されている。螺子孔４３は、前記タップオフ本体３の螺子４に適合する位置に開口され、タップオフ本体３の螺子４を螺子孔４３に螺子止めすることによって、タップオフ本体３を電源カット具４０の下段ケース６２に取付けることができる。上段ケース６１と下段ケース６２とはオフセット形状であり、蓋２とタップオフ本体３とは縦方向にずれて固定されるため、螺子４は、電源カット具４０を貫通して蓋２に取付けられるような長いものに取り替える必要はなく、図８（ｂ）に示すような、蓋２に取付けていたものと同じ長さの螺子４のままで電源カット具４０を蓋２とタップオフ本体３との間に備えることができる。
【００３４】
前記電源カット回路５０には、前記各実施形態と同様にコンデンサＣを使用しており、電源カット具４０を蓋２とタップオフ本体３との間に取付けると、電源カット回路５０のコンデンサＣが電極３６ａ、３６ｂと入力側ターミナル端子８、出力側ターミナル端子９の間に挿入されるようにしてある。この場合、入力側端子６に入力された高周波信号及び電源電圧のうち高周波信号はコンデンサＣを通過し、図４の高周波系路３３を通って出力側端子７に出力されるとともに分岐器３５で分岐されて分岐端子３１にも出力され、電源電圧はコンデンサＣによって遮断されて出力側端子７に出力されなくなる。また、前記各実施形態と同様にコンデンサＣの設置場所は、ケース６０内以外であっても、電極３６ａ、３６ｂと入力側ターミナル端子８、出力側ターミナル端子９の間に挿入されれば、ケース６０の上段ケース６１の上面（表面）、下段ケース６２の下面（裏面）といったいずれの箇所に取付けても良い。
【００３５】
（使用例３）
本実施形態の電源カット具４０を蓋２とタップオフ本体３との間に挟着固定する場合、前記実施形態１の電源カット具４０とほぼ同様の手順によって固定するが、本実施形態の電源カット具４０の場合には、次のようにする。
１．分離したタップオフ蓋２と本体３との間に、本実施形態の電源カット具４０を備える。
２．電源カット具４０の上段ケース６１の螺子６３を、蓋２の螺子孔２ａに螺子止めして、蓋２に電源カット具４０の上段ケース６１を取付ける。
３．タップオフ本体３の螺子４を、電源カット具４０の下段ケース６２の螺子孔４３に螺子止めして、電源カット具４０の下段ケース６２にタップオフ本体３を取付ける。
なお、前記２．と３．の手順は逆にすることもできる。
【００３６】
（その他の実施形態）
電源カット具と蓋及び機器本体との固定方法は前記各実施形態に記載のものには限られず、例えば挟着治具を備えた機器本体によって固定する等、任意の手段によることができる。
【００３７】
前記各実施形態においては、蓋２には押し具１３ａ、１３ｂが備えられ、押し部４１は板状であったが、短絡材１０を押しあげることができれば、押し具を押し部上に備える等、蓋の内部と押し部は任意の形状とすることができる。
【産業上の利用可能性】
【００３８】
本発明のＣＡＴＶ用機器による電源電圧遮断方法と、それに用いる電源カット具と、電源カット具の取付け構造は、簡易に、且つ最小限の電源電圧遮断が可能であるため、ＣＡＴＶの分野に限らず、電源電圧遮断が必要な多くの分野について用いることができる。
【図面の簡単な説明】
【００３９】
【図１】（ａ）は、本発明の電源カット具を使用するタップオフを示す断面図。（ｂ）は、（ａ）に示すタップオフの蓋を示す断面図。
【図２】本発明の電源カット具を使用するタップオフの蓋の内部の様子を示す側方断面説明図。
【図３】タップオフの蓋内部の押し具の様子を示す説明図。
【図４】タップオフ回路の様子を示す説明回路図。
【図５】（ａ）は、本発明の電源カット具の実施形態の一例を示す断面図。（ｂ）は、（ａ）に示す電源カット具を示す説明断面図。
【図６】本発明の電源カット具及び電源カット具の取付け構造を示す斜視図。
【図７】（ａ）は、本発明の電源カット具の使用の様子の他の一例を示す平面図。（ｂ）は、本発明の電源カット具の使用の様子の他の一例を示す背面図。（ｃ）は、本発明の電源カット具の使用の様子の他の一例を示す側面図。
【図８】（ａ）は、本発明の電源カット具の実施形態の他の一例を示す斜視図。（ｂ）は、（ａ）に用いるねじを示す斜視図。
【図９】ＣＡＴＶの伝送路の様子を示す説明図。
【符号の説明】
【００４０】
１  タップオフ
２  蓋
３  本体
４  螺子
１０  短絡材
１３  押し具
４０  電源カット具
４１  短絡材押し部
４２  収容凹陥部
４３  螺子孔
４４ａ  入力側電極
４４ｂ  出力側電極
４５ａ、４５ｂ  接続端子
５４  挟着治具
【図１】
2005159554.tif 000003
【図２】
2005159554.tif 000004
【図３】
2005159554.tif 000005
【図４】
2005159554.tif 000006
【図５】
2005159554.tif 000007
【図６】
2005159554.tif 000008
【図７】
2005159554.tif 000009
【図８】
2005159554.tif 000010
【図９】
2005159554.tif 000011